(57)【特許請求の範囲】
【請求項１】
天板を有し、券紙を収納する収納手段と、
前記収納手段に収納された最下面の券紙を取り出す取出手段と、
前記取出手段によって取り出された券紙に対して、所定の発行情報を記録して券類を発行する発行手段と、
前記収納手段が配置される空間と共通の共通空間内を前記収納手段の天板で仕切ることによって、前記収納手段の上方に形成される回収空間に回収券を回収する回収手段と、
前記収納手段に収納可能な券紙の容量を検知する券紙容量検知手段と、
前記収納手段に収納された券紙の使用量を検知する使用量検知手段と、
前記券紙容量検知手段によって検知された前記収納手段の容量に基づいて、前記回収空間に回収可能な回収券の容量を検知する回収券容量検知手段と、
前記券紙容量検知手段によって検知された収納可能な券紙の容量と、前記使用量検知手段によって検知された使用量とに基づいて、前記収納手段に収納されている券紙のニアエンドを報知する報知手段と、
を備えたことを特徴とする券類発行機。
【請求項２】
天板を有し、券紙を収納する収納手段と、
前記収納手段に収納された最下面の券紙を取り出す取出手段と、
前記取出手段によって取り出された券紙に対して、所定の発行情報を記録して券類を発行する発行手段と、
前記収納手段が配置される空間と共通の共通空間内を前記収納手段の天板で仕切ることによって、前記収納手段の上方に形成される回収空間に回収券を回収する回収手段と、
前記収納手段に収納可能な券紙の容量を検知する券紙容量検知手段と、
前記券紙容量検知手段によって検知された前記収納手段の容量に基づいて、前記回収空間に回収可能な回収券の容量を検知する回収券容量検知手段と、
前記回収空間に回収された回収券の回収量を検知する回収量検知手段と、
前記回収券容量検知手段によって検知された回収可能な回収券の容量と、前記回収量検知手段によって検知された回収量とに基づいて、前記回収空間の容量フルを報知する報知手段と、
を備えたことを特徴とする券類発行機。
【発明の詳細な説明】
【０００１】
【発明の属する技術分野】
この発明は、券類発行機に係り、特に、定期券発行に必要とされる定期発行情報、例えば購入者の氏名、乗車区間、使用期間などの情報を設定し、この設定された定期発行情報に基づいて定期券を発行する定期券発行機に関する。
【０００２】
【従来の技術】
定期券発行機は、定期券の購入希望者（購入者）によって申込用紙に記載された各種情報例えば氏名、電話番号などの情報を読み取る読取部、購入者の氏名、乗車区間、使用期間などの定期券購入情報を入力する入力部、購入者が既に所持していた定期券すなわち旧券から磁気情報を読み出す磁気処理部、読取部によって読み取られた氏名及び電話番号などの情報、入力部を介して入力された情報、、及び磁気処理部によって旧券から読み出された磁気情報などに基づいて各種定期発行情報を表示する表示部、設定された各種定期発行情報に基づいて定期券を発行する定期券発行部、定期券の発行記録や売り上げ記録などをジャーナル用紙に印刷するジャーナルプリンタなどを有している。
【０００３】
このような定期券発行機には、所定容量の券紙を収納可能な券紙ホッパと、旧券や発行時にエラーとなったエラー券などの回収券を所定容量回収可能な回収箱とがそれぞれ設けられている。
【０００４】
【発明が解決しようとする課題】
上述したような定期券発行機では、客先により、券紙ホッパに収納可能な券紙の容量や、回収箱の回収可能な回収券の容量の変更を要望された場合、券紙ホッパや回収箱を作りなおす必要がある。また、券紙ホッパや回収箱を配置するための空間の容量も作りなおす必要がある。
【０００５】
したがって、使用頻度が異なる客先毎に、定期券発行機の構造の改善が迫られ、定期券発行機の生産性を悪化させるばかりでなく、定期券発行機のコストが増大し、また、客先の要望に速やかに対応することができず、サービス性が損なわれるといった問題が発生する。
【０００６】
そこで、この発明の目的は、上記したような事情に鑑み成されたものであって、機体の生産性を向上し、コストを増大することなく速やかに客先の要望に対応でき、サービス性を向上可能な券類発行機を提供することにある。
【０００７】
【課題を解決するための手段】
本発明の一態様によれば、
天板を有し、券紙を収納する収納手段と、前記収納手段に収納された最下面の券紙を取り出す取出手段と、前記取出手段によって取り出された券紙に対して、所定の発行情報を記録して券類を発行する発行手段と、前記収納手段が配置される空間と共通の共通空間内を前記収納手段の天板で仕切ることによって、前記収納手段の上方に形成される回収空間に回収券を回収する回収手段と、前記収納手段に収納可能な券紙の容量を検知する券紙容量検知手段と、前記収納手段に収納された券紙の使用量を検知する使用量検知手段と、前記券紙容量検知手段によって検知された前記収納手段の容量に基づいて、前記回収空間に回収可能な回収券の容量を検知する回収券容量検知手段と、前記券紙容量検知手段によって検知された収納可能な券紙の容量と、前記使用量検知手段によって検知された使用量とに基づいて、前記収納手段に収納されている券紙のニアエンドを報知する報知手段と、を備えたことを特徴とする券類発行機が提供される。
本発明の他の態様によれば、
天板を有し、券紙を収納する収納手段と、前記収納手段に収納された最下面の券紙を取り出す取出手段と、前記取出手段によって取り出された券紙に対して、所定の発行情報を記録して券類を発行する発行手段と、前記収納手段が配置される空間と共通の共通空間内を前記収納手段の天板で仕切ることによって、前記収納手段の上方に形成される回収空間に回収券を回収する回収手段と、前記収納手段に収納可能な券紙の容量を検知する券紙容量検知手段と、前記券紙容量検知手段によって検知された前記収納手段の容量に基づいて、前記回収空間に回収可能な回収券の容量を検知する回収券容量検知手段と、前記回収空間に回収された回収券の回収量を検知する回収量検知手段と、前記回収券容量検知手段によって検知された回収可能な回収券の容量と、前記回収量検知手段によって検知された回収量とに基づいて、前記回収空間の容量フルを報知する報知手段と、を備えたことを特徴とする券類発行機が提供される。
【００１４】
【発明の実施の形態】
以下、この発明の券類発行機の一実施の形態に係る定期券発行機について図面を参照して説明する。
【００１５】
図１は、この発明の実施の形態に係る定期券発行機の外観を概略的に示す正面図である。この定期券発行機１００は、定期券の新規発行処理、定期券の継続発行処理、定期券の払い戻し処理などの各種処理を実行する。
【００１６】
図１に示すように、この定期券発行機１００には、各種入力を受付ける入力部１０２、定期券の利用区間を規定する発駅及び着駅の駅名の設定を受付ける駅名設定部１０３、及び、定期券の利用区間における経由を設定する経由設定部１０４が設けられている。
【００１７】
また、この定期券発行機１００には、入力部１０２を介して入力された定期券購入者の氏名や電話番号などの各種定期券発行情報や、駅名設定部１０３及び経由設定部１０４において設定された発着駅名及び経由などの各種情報を表示するとともに、係員による表示画面への接触を検知して接触した項目を指定するタッチパネル内蔵の係員用モニタ１０５が設けられている。
【００１８】
さらに、この定期券発行機には、定期券発行の日付を表示する日付表示部１０６、定期券発行のための必要事項、例えば定期券購入希望者の氏名や、乗車区間、定期券使用開始日、有効期間すなわち利用期間などが記入された申込用紙の挿入を受付ける申込用紙挿入口１０７、発行された新規定期券を排出する定期券発行口１０８、各種乗車券媒体及び定期券等の旧券を受付ける券挿入口１０９などが設けられている。申込用紙挿入口１０７、定期券発行口１０８、券挿入口１０９、及びスタッカ１１０には、各口における券の有無を検知するためのセンサがそれぞれ設けられている。
【００１９】
入力部１０２には、各種ボタンが設けられており、これらボタンにより定期券発行に必要とされる定期券発行情報の一部、例えば利用開始日及び利用期間（１ヶ月、３ヶ月、６ヶ月）の入力や、「通勤」「通学」等の定期券の発行形態を指定するための入力が受付けられる。また、この入力部１０２には、定期券購入者の氏名や電話番号を入力する仮名キーやテンキーなどが設けられている。
【００２０】
駅名設定部１０３は、定期券の利用区間を規定するための発駅及び着駅を設定する駅名候補の駅名釦が表示されるタッチパネル内蔵のカラー液晶表示装置により構成されている。
【００２１】
経由設定部１０４は、定期券の利用区間における経由駅を設定するための経由駅名候補の駅名釦が表示されるタッチパネル内蔵のカラー液晶表示装置により構成されている。
【００２２】
係員用モニタ１０５は、各種操作手順、エラーに関する情報、入力部１０２、駅名設定部１０３、経由設定部１０４等の各部から入力された情報を項目別に表示するとともに、定期券発行情報の各項目をタッチすることによりその項目を指定することが可能なタッチパネル内蔵のカラー液晶表示装置によって構成されている。
【００２３】
次に、図２を参照して、定期券発行機における各種機能について説明する。図２は、定期券発行機の構成を概略的に示すブロック図である。
【００２４】
図２に示すように、定期券発行機には、定期券発行機全体を制御する制御手段としてのＣＰＵ１２０が設けられている。このＣＰＵ１２０には、入力部１０２、駅名設定部１０３、経由設定部１０４、係員用モニタ１０５、及び、各種センサが接続されている。
【００２５】
このＣＰＵ１２０に接続されたセンサとしては、券紙容量検知手段として機能する券紙容量検知センサＳ１、Ｓ２、Ｓ３、使用量検知手段として機能する取出しセンサ１４６、回収量検知手段として機能する回収センサ２０１、使用量検知手段として機能するエンプティセンサ２０３などがある。
【００２６】
また、このＣＰＵ１２０には、メモリ１２１、磁気処理部１２２、検査部１２３、読取部１２４、定期券発行部１２６、ジャーナルプリンタ１２８、磁気ディスク装置１２９、通信制御部１３０などが接続されている。
【００２７】
入力部１０２には、既に説明したように、定期券発行情報の入力を受付けるための各種ボタンが設けられている。また、この入力部１０２は、読取部１２４や入力部１０２によって申込用紙から読み取られた定期券購入者の氏名に対応する文字情報や、定期券購入者の電話番号に対応する数字情報、後述する磁気処理部１２２によって旧券から読み出した情報などの各種情報を修正または入力するためにも利用される。さらに、この入力部１０２には、係員用モニタ１０５における、定期券発行情報の各項目に移動して情報の入力を促す図示しないカーソルを移動させるための矢印キーなども設けられている。
【００２８】
駅名設定部１０３には、既に説明したように、定期券発行情報のうちの利用区間を規定する発駅及び着駅の設定を受付けるための駅名ボタンなどが設けられている。経由設定部１０４には、既に説明したように、定期券発行情報のうちの利用区間の経由の設定を受付けるための経由駅名ボタンなどが設けられている。
【００２９】
係員用モニタ１０５は、既に説明したように、入力部１０２によって入力された各種情報や、駅名設定部１０３、経由設定部１０４などによって設定された定期券発行情報の各種情報を項目別に同一画面上に表示する。すなわち、この係員用モニタ１０５には、同時に、発駅名、着駅名、経由駅名、有効期間、使用開始日、購入者氏名、購入者電話番号などの各種情報がそれぞれ対応する項目別に表示される。この係員用モニタ１０５に表示された定期券発行情報の項目は、上述したように、全て定期券面に印刷される情報に対応している。
【００３０】
また、この係員用モニタ１０５には、券紙容量検知センサＳ１〜Ｓ３からの出力信号に基づいた券紙を収納している券紙カセットに収納可能な容量、取出しセンサ１４６からの出力信号に基づいた使用した券紙の使用量、回収センサ２０１からの出力信号に基づいた回収券の回収量、エンプティセンサ２０３からの出力信号に基づいた券紙カセット内の券紙の残量などが表示される。
【００３１】
さらに、この係員用モニタ１０５は、エンプティセンサ２０３からの出力信号に基づいて、または、券紙カセットに収納可能な券紙の容量と実際の券紙の使用量とに基づいて、券紙カセット内に収納されている券紙のニアエンドを報知するとともに、回収空間内に回収可能な回収券の容量と実際の回収券の回収量とに基づいて、回収空間の容量フルを報知する報知手段としても機能する。
【００３２】
メモリ１２１には、定期券発行機全体の制御プログラム、文字パターン、定期券の乗車区間として発売可能な駅名や経由、路線などの情報などが記憶されている。磁気処理部１２２は、券挿入部１０９で受付けられた乗車券及び定期券等の旧券に磁気記録されている磁気情報を読取る磁気読取部、及び発行される定期券に磁気情報を記録する磁気記録部を備えている。検査部１２３は、各種不正を防止するため、乗車券及び定期券から読取られた情報、並びに入力部１０２で受付けられた情報の正当性を検査する。
【００３３】
読取部１２４は、光学的に文字や数字などの画像を読み取る画像読取装置すなわちＯＣＲ、ＯＣＲで読み取った画像を認識する認識部などを備えている。発行手段として機能する定期券発行部１２６は、定期券発行情報に基づいて定期券を発行する定期券発行手段として機能する。この定期券発行部１２６は、新規の定期券、継続定期券、再発行定期券などの発行を行う。この定期券発行部１２６では、係員により、定期券発行の指示が与えられると、券紙カセットに収容されている券紙を取りだし、券紙に対して係員用モニタ１０５に表示された定期券発行情報の各項目に基づいて磁気処理が行われるとともに、必要な定期券発行情報を定期券の券紙に転写することで新規の定期券を発行する。
【００３４】
ジャーナルプリンタ１２８は、定期券の売上デ―タ等をジャ―ナル用紙に印刷する。磁気ディスク装置１２９は、定期券発行に関する各種情報、例えば売上デ―タ及び運賃デ―タが記憶された磁気ディスクを取扱う。通信制御部１３０は、通信回線を介してホストコンピュータなどの外部装置との間でデータ通信を行う。
【００３５】
次に、定期券発行機の内部構成について説明する。図３は、定期券発行機の断面図である。
【００３６】
すなわち、本体１３１の上面左側（フロント側）には、定期券発行口１０８と、旧券、手差し券挿入口１０９とが設けられている。
【００３７】
本体１３１内の上方には、券紙に対する印刷処理を行うとともに、磁気処理を行う発行処理部１３２が設けられ、本体１３１内の下方には、未印刷、未磁気記録の券紙ＴＰが収納されている券紙収容部１３３が設けられている。
【００３８】
券紙収容部１３３には、共通空間１７０が形成され、この共通空間１７０は、蓋１８０によって閉塞される。
【００３９】
共通空間１７０の上部には、回収券が排出される回収券排出口１９１が設けられ、券紙の搬送路に接続されている。また、共通空間１７０の下部には、券紙が取り出される取出口１９２が設けられ、取出搬送路１４４に接続されている。
【００４０】
共通空間１７０の幅は、回収券の回収に適した幅、すなわち券紙の幅より、若干広く形成されている。券紙カセット１３５の天板１３６の幅は、共通空間１７０の幅と略同等であり、また、券紙カセット１３５の幅は、共通空間１７０の幅より若干狭く、券紙の取出に適した幅、すなわち券紙がスキューしない程度の券紙の幅と略同程度の幅に形成されている。
【００４１】
共通空間１７０の一端面、すなわち券紙カセット１３５が挿入されたときに突き当たる面には、券紙カセット１３５の収容可能容量を検知する券紙容量検知センサＳ１〜Ｓ３が配置されている。
【００４２】
券紙カセット１３５としては、収納可能容量に応じて種種のカセットが用意されている。図４に示したように、例えば、３００枚の券紙を収納可能に形成された券紙カセット１３５、あるいは、図５の（ａ）に示したように、例えば、２００枚の券紙を収納可能に形成された券紙カセット１３５、また、図５の（ｂ）に示したように、例えば５００枚の券紙を収納可能に形成された券紙カセット１３５などが用意されている。
【００４３】
これらの券紙カセット１３５の表面には、券紙カセット１３５の内部に券紙を収納するための扉１３７、及び、この扉１３７を施錠する施錠手段として機能するかぎ３８が設けられている。また、これらの券紙カセット１３５の共通空間１７０の一端面に対向する面に、それぞれの収納可能容量に対応した位置に設けられた券紙容量検知センサＳ１〜Ｓ３に接触する突起部１３８を有している。
【００４４】
例えば、券紙容量検知センサＳ１に券紙カセット１３５の突起部１３８が接触した場合には、券紙カセット１３５の容量は、図５の（ｂ）に示したように、５００枚であると判断する。また、券紙容量検知センサＳ２に券紙カセット１３５の突起部１３８が接触した場合には、券紙カセット１３５の容量は、図４に示したように、３００枚であると判断する。さらに、券紙容量検知センサＳ３に券紙カセット１３５の突起部１３８が接触した場合には、券紙カセット１３５の容量は、図５の（ａ）に示したように、２００枚であると判断する。
【００４５】
所定容量の共通空間１７０内に、所定容量の券紙カセット１３５が配置されると、ＣＰＵ１２０では、必然的に券紙カセット１３５の上方に形成される回収空間の容量を検知することができる。
【００４６】
すなわち、共通空間１７０の容量を７００枚とすると、券紙容量検知センサＳ１が接触を検知した場合には、券紙カセットの容量が５００枚であるため、回収空間の容量は、２００枚となる。また、券紙容量検知センサＳ２が接触を検知した場合には、券紙カセットの容量が３００枚であるため、回収空間の容量は、４００枚となる。券紙容量検知センサＳ３が接触を検知した場合には、券紙カセットの容量が２００枚であるため、回収空間の容量は、５００枚となる。
【００４７】
券紙カセット１３５に収容されている券紙ＴＰは、給紙ローラ１４１によって１枚ずつ給紙され、取出口１９２から取出ローラ１４２によって取出搬送路１３９に取り出され、搬送ローラ１４３によって取出搬送路１３９を搬送され、さらに、搬送路１４０に導かれる。
【００４８】
取出搬送路１４４の取出ローラ１４２の近傍には、券紙の取出しを光学的に検知する取出センサ１４６が設けられている。券紙の取出し時に、取出ローラ１４２を所定時間動かした際に、取出センサ１４６がオンされなかった場合に、取出し異常を判定する。また、ＣＰＵ１２０は、取出センサ１４６がオンになった回数をカウントすることによって、券紙の使用量を検知する。
【００４９】
この搬送路１４０の他端は、発行処理部１３２内の主搬送路１４７と合流部１４８で合流する。券紙カセット１３５から搬送路１４０に導かれた券紙ＴＰは、これらの搬送路によって上方へ搬送され、発行処理部１３２内の主搬送路１４７に導かれる。
【００５０】
発行処理部１３２内の主搬送路１４７の一端は、定期券発行口１０８に対応し、他端には、スイッチバック部１４９が設けられている。この主搬送路１４７の合流部１４８の後方には、有効期間、発着駅、経由、発行駅等の発行内容を黒色で印刷する黒色印刷部１５０と、発行内容の一部を赤色で印刷する赤色印刷部１５１とが設けられている。赤色印刷部１５１は、定期券上の印刷内容を黒色で印刷した部分より強調したい場合に用いるものであり、たとえば、学割り定期の場合の「学」、あるいはバス等での目視確認用に有効期限が赤色で印刷される
黒色印刷部１５０、赤色印刷部１５１は、それぞれ転写リボン１５０ｂ、１５１ｂ、及びそれぞれの転写リボン１５０ｂ、１５１ｂに含まれるインクを熱転写するサーマルヘッド１５０ａ、１５１ａによって構成されている。
【００５１】
スイッチバック部１４９と合流部１４８との間には、副搬送路１５２が設けられている。副搬送路１５２上には、旧券に入鋏を行う旧券入鋏部１５３、券紙ＴＰの裏面の磁気記録部に磁気情報（有効期間、発着駅、経由、発行駅等）を記録する磁気処理部１２２の書込ヘッド１５４、書込ヘッド１５４で書込んだ券紙ＴＰの裏面の磁気記録部の磁気情報を読取ったり、旧券の裏面の磁気記録部の磁気情報を読取る読取ヘッド１５５が設けられている。
【００５２】
黒色印刷部１５０の後方で主搬送路１４７と分岐し、副搬送路１５２の一部を介してスイッチバック部１４９で再び主搬送路１４７に合流する黒単色バイパスとしての分岐搬送路１５６が設けられている。
【００５３】
また、合流部１４８から定期券発行口１０８に発行された定期券が搬送される搬送路１５７が設けられ、旧券、手差し券挿入口１０９と搬送路１５７との間に、旧券、あるいは手差し券が搬送される搬送路１５８が設けられている。
【００５４】
また、副搬送路１５２の一端の搬送先は、共通空間１７０の回収券排出口１９１に接続され、共通空間１７０に形成された回収空間１６０内に回収券が回収される。
【００５５】
合流部１４８の近傍、合流部１４８と黒色印刷部１５０との間の主搬送路１４７と副搬送路１５２の合流部の近傍、主搬送路１４７から分岐搬送路１５６への分岐部の近傍には、それぞれゲート１６１、１６２、１６３が設けられている。
【００５６】
ゲート１６１は、副搬送路１５２から搬送されてきた券紙ＴＰを搬送路１５７（定期券発行口１０８）へ導き、副搬送路１５２から搬送されてきた回収券は、回収空間１６０へ導くように分岐する。
【００５７】
ゲート１６２は、合流部１４８から搬送されてきた券紙ＴＰを主搬送路１４７（黒色印刷部１５０）へ導き、合流部１４８から搬送されてきた旧券を副搬送路１５２（読取ヘッド１５５）へ導くように分岐する。
【００５８】
ゲート１６３は、主搬送路１４７により搬送される券紙ＴＰをそのまま主搬送路１４７で搬送し赤色印刷部１５１へ導くか、分岐搬送路１５６へ分岐するかを切換える。
【００５９】
また、各搬送路には図示しない搬送検知センサ（光学センサ）が設けられており、搬送異常が検知される。
【００６０】
このような構成の定期券発行機において、新規の定期券を発行する場合には、ＣＰＵ１２０は、入力部１０２、駅名設定部１０３、経由設定部１０４、磁気処理部１２２、読取部１２４などから提供された個別の定期券発行情報を受け取り、これらの定期券発行情報を係員用モニタ１０５に項目別に同一画面上に表示させる。
【００６１】
そして、ＣＰＵ１２０は、係員用モニタ１０５から指定された項目を検知して、該当する項目の入力候補または修正候補を駅名設定部１０３及び経由設定部１０４に表示させるとともに、入力部１０２における所定の入力ボタンを点灯させるなどして入力候補または修正候補の係員による指定を待機する。
【００６２】
駅名設定部１０３、経由設定部１０４、または入力部１０２を利用した係員による指定がなされた場合には、ＣＰＵ１２０は、指定された入力候補または修正候補を係員用モニタ１０５に表示させる。
【００６３】
そして、ＣＰＵ１２０は、入力部１０２を介して、係員による定期券発行の指示がなされた場合には、この指示にしたがって、定期券発行部１２６を制御し、係員用モニタ１０５に表示されている定期券発行情報の各項目に基づいて定期券が発行される。
【００６４】
また、このような構成において、定期券購入者が旧券を所持している場合に継続定期券を発行する場合には、ＣＰＵ１２０は、磁気処理部１２２によって旧券から読み出された磁気情報から定期券購入者の識別情報を受け取り、定期券発行情報に反映する。
【００６５】
そして、ＣＰＵ１２０は、入力部１０２を介したその他の定期券発行情報の入力を受け付けると、必要な定期券発行情報を設定して、係員用モニタ１０５に表示させる。ここで設定される定期券発行情報は、定期券購入者の氏名、電話番号、年齢、乗車区間、経由、有効期間、発行形態、使用開始日、発行駅名などである。
【００６６】
そして、ＣＰＵ１２０は、入力部１０２を介して、係員による定期券発行の指示がなされた場合には、この指示にしたがって、定期券発行部１２６を制御し、係員用モニタ１０５に表示されている定期券発行情報の各項目に基づいて定期券が発行される。
【００６７】
次に、このような構成において、継続定期券を発行する処理について説明する。
【００６８】
なお、券紙カセット１３５が共通空間１７０内にセットされた時点で、券紙容量検知センサＳ１〜Ｓ３からの出力信号に基づいて、ＣＰＵ１２０は、券紙カセット１３５の収納可能な券紙の容量、及び回収空間１６０内に回収可能な回収容量を検知し、これらの容量を係員用モニタ１０５に表示させている。
【００６９】
まず、係員は、定期券発行機１００の入力部１０２を介して、発行する定期券の発行形態を指定する。この時、係員は、発行形態として継続定期券の発行を指定する。
【００７０】
そして、係員は、所持している旧券を券挿入口１０９から挿入する。ＣＰＵ１２０は、旧券の挿入を検知すると、旧券を搬送路１５８及び副搬送路１５２上を搬送させ、読取ヘッド１５５において、旧券から必要な定期券発行情報を読み取る。
【００７１】
そして、この旧券は、旧券入鋏部１５３において入鋏され、副搬送路１５２を搬送されて、旧券排出口１９１から共通空間１７０内の回収空間１６０に回収される。このとき、回収センサ２０１によって回収券が検知される。ＣＰＵ１２０は、回収センサ２０１がオンになる回数をカウントし、回収空間１６０内に回収された回数券の回収量をカウントするとともに、回収券の回収量を係員用モニタ１０５に表示させる。
【００７２】
また、ＣＰＵ１２０は、予め検知していた回収空間内の回収容量が回収センサ２０１の出力に基づく回収券の実際の回収量に近づいてきた場合には、回収空間がニアフルまたはフルであると判断して、係員用モニタ１０５にその旨を表示させる。
【００７３】
一方、その他の必要な定期券発行情報は、定期券購入者から受け取り、入力部１０２などを介して設定される。
【００７４】
ＣＰＵ１２０は、すべての必要な定期券発行情報を係員用モニタ１０５に表示させ、係員による定期券発行の指示により、定期券発行部１２６を制御して、定期券を発行する。
【００７５】
すなわち、ＣＰＵ１２０は、券紙カセット１３５内に設けられたエンプティセンサ２０３からの出力信号に基づいて、券紙カセット１３５内がエンプティであるか否かを検知し、エンプティであると判断した場合には、その旨を係員用モニタ１０５に表示させる。
【００７６】
また、ＣＰＵ１２０は、券紙カセット１３５内がエンプティでないと判断した場合には、券紙カセット１３５に収納されている最下面の券紙ＴＰを給紙ローラ１４１によって給紙させ、共通空間１７０の取出口１９２から取出ローラ１４２を介して取出搬送路１３９上に取り出させる。
【００７７】
取り出された券紙ＴＰは、取出センサ１４６によって検知される。ＣＰＵ１２０は、取出センサ１４６がオンになった回数をカウントし、券紙カセット１３５に収納された券紙ＴＰの使用量をカウントするとともに、券紙ＴＰの使用量を係員用モニタ１０５に表示させる。
【００７８】
また、ＣＰＵ１２０は、予め検知していた券紙カセット１３５の収納可能容量が取出センサ１４６の出力に基づく券紙の実際の使用量に近づいてきた場合には、券紙カセット１３５内の券紙の残量がニアエンドであると判断して、係員用モニタ１０５にその旨を表示させる。
【００７９】
取り出された券紙ＴＰは、搬送路１４０を搬送され、主搬送路１４７上で必要な情報が印刷されるとともに、副搬送路１５２上で必要な情報が磁気記録される。この券紙ＴＰは、副搬送路１５２上で記録された情報を読み取って記録した情報を確認する。
【００８０】
そして、ＣＰＵ１２０は、記録された情報と読み取った情報とが一致することを確認した券類ＴＰを定期券として、定期券発行口１０８から発行する。
【００８１】
上述したように、この発明の券類発行機によれば、券紙収容部１３３には、共通空間１７０が形成され、この共通空間１７０の下方には、所定枚数の券紙ＴＰを収納可能に形成された券紙カセット１３５が配置され、また、この券紙カセット１３５の天板１３６によって仕切られた共通空間１７０の上方には、旧券やエラー券などの回収券を回収する回収空間１６０が形成される。
【００８２】
また、共通空間１７０の一端面には、券紙カセット１３５の収容可能容量を検知する券紙容量検知センサＳ１〜Ｓ３が配置されている。これに対応して、券紙カセット１３５としては、収納可能容量に応じて種種のカセットが用意されている。
【００８３】
このため、客先に応じて、券紙の収納容量や、回収券の回収容量を変更することが容易となり、客先の要望に速やかに対応することができ、サービス性を向上することができる。また、予め、複数の収納容量の券紙カセットを用意しておくことにより、大幅なコストを増大することなく機体の生産性を向上することができる。
【００８４】
また、機体側では、所定容量の共通空間１７０内に、所定容量の券紙カセット１３５が配置されると、ＣＰＵ１２０では、必然的に券紙カセット１３５の上方に形成される回収空間の容量を検知することができる。また、券紙の使用量や、回収券の回収量を検知することにより、係員に券紙カセットのエンプティまたはニアエンドを報知したり、回収空間の容量フルまたはニアフルを報知することが可能となり、操作性を向上することができる。
【００８５】
さらに、共通空間１７０の幅ａは、券紙の幅より若干広く形成されているため、回収券の回収に適している。また、券紙カセット１３５の天板１３６の幅は、共通空間１７０の幅と略同等であり、回収券の漏れを防ぐとともに、券紙カセット１３５の幅ｂは、共通空間１７０の幅ａより若干狭く、券紙をスキューすることなく取り出すことが可能となる。
【００８６】
またさらに、券紙カセット１３５の表面には、券紙カセット１３５の内部に券紙を収納するための扉１３７とこの扉１３７を施錠するかぎ３８とが設けられているため、セキュリティを向上することが可能となる。
【００８７】
【発明の効果】
以上説明したように、この発明によれば、機体の生産性を向上し、コストを増大することなく速やかに客先の要望に対応でき、サービス性を向上可能な券類発行機を提供することにある。
【図面の簡単な説明】
【図１】図１は、この発明の券類発行機の一実施の形態に係る定期券発行機の外観を概略的に示す正面図である。
【図２】図２は、図１に示した定期券発行機の構成を概略的に示すブロック図である。
【図３】図３は、図１に示した定期券発行機の内部の構造を概略的に示す断面図である。
【図４】図４は、図１に示した定期券発行機における券紙収容部の共通空間の構造とこの共通空間に配置される券紙カセットとを概略的に示す斜視図である。
【図５】図５の（ａ）及び（ｂ）は、図４に示した共通空間に配置可能な他の容量を有する券紙カセットを概略的に示す図である。
【符号の説明】
１００…定期券発行機
１０５…係員用モニタ
１２０…ＣＰＵ
１２６…定期券発行部
１３５…券紙カセット
１３６…天板
１３７…扉
１３８…かぎ
１３９…突起部
１４１…給紙ローラ
１４６…取出センサ
１６０…回収空間
１７０…共通空間
１８０…蓋
１９１…回収券排出口
１９２…取出口
２０１…回収センサ
２０３…エンプティセンサ
【図１】
0004473371.tif 000002
【図２】
0004473371.tif 000003
【図３】
0004473371.tif 000004
【図４】
0004473371.tif 000005
【図５】
0004473371.tif 000006